(57)【要約】【課題】個人認証が可能な授与品または縁起物を提供し授与品または縁起物による個人認証を経て祈願者が希望するサービスを提供する。【解決手段】神社仏閣では、祈願者の祈願内容を含む個人認証情報が記録された非接触ＩＣチップを添え、もしくは付属された授与品および縁起物を祈願者に授与する。そして、非接触ＩＣチップに記録された情報を含み登録時に受け付けた情報をデータベース（祈願登録サーバ）に登録して、神社仏閣に設置された祈願システムにおいて、授与品もしくは縁起物の提示を受けて個人認証を行ない、データベースを参照して祈願者が希望する、例えば、ご祈祷読みあげサービスを提供する。【選択図】      図２
2005205173.tif 000002
【特許請求の範囲】
【請求項１】
祈願者の祈願内容を含む個人認証情報が記録された非接触ＩＣチップが設けられたことを特徴とする授与品。
【請求項２】
祈願者の祈願内容を含む個人認証情報が記録された非接触ＩＣチップが設けられたことを特徴とする縁起物。
【請求項３】
神社仏閣に設置された端末装置とは通信ネットワークを介して接続される祈願登録サービス提供システムであって、
祈願についての登録を受付け、授与品もしくは縁起物に設けられた非接触ＩＣチップに祈願内容を含む祈願者の個人情報を記録する手段と、
前記非接触ＩＣチップに記録された情報を含み前記登録時に受け付けた情報をデータベースに登録する手段と、
前記授与品もしくは縁起物の提示を受け、提示された授与品もしくは縁起物の非接触ＩＣチップに記録された情報を読み込んで個人認証を行ない、前記データベースを参照して祈願者が希望するサービスを提供する手段と、
を備えたことを特徴とする祈願登録サービス提供システム。
【請求項４】
媒体に筆跡を書込む筆跡書込み手段を備えた電子ペンであって、当該電子ペンにペン先動作通知装置を備えた前記電子ペンの、ペン先の動作を読み取るペン先動作読み取り手段と、
前記読み取ったペン先の動作に基づいて、前記媒体に前記電子ペンにより書込まれた筆跡を検出する筆跡検出手段と、
前記検出した筆跡のデータを前記媒体に脱着可能に備えられた非接触ＩＣチップに書き込む筆跡データ書き込み手段と、
前記筆跡を少なくとも表示する表示手段と、
を備えることを特徴とするリーダライタ装置。
【請求項５】
リーダライタ装置とサービス提供サーバとが通信ネットワークを介して接続された祈願登録サービス提供システムであって、
前記リーダライタ装置が、
授与品または縁起物のいずれかの媒体に筆跡を書込む筆跡書込み手段を備えた電子ペンであって、当該電子ペンにペン先動作通知装置を備えた前記電子ペンの、ペン先の動作を読み取るペン先動作読み取り手段と、
前記読み取ったペン先の動作に基づいて、前記媒体に前記電子ペンにより書込まれた筆跡を検出する筆跡検出手段と、
前記検出した筆跡のデータを前記媒体に備えられた非接触ＩＣチップに書き込む筆跡データ書き込み手段と、
前記筆跡を少なくとも表示する表示手段と、
前記ＩＣチップの記憶する媒体識別情報を読み取るＩＣチップ記憶情報読み取り手段と、
前記媒体識別情報と前記筆跡データとを対応付けて前記サービス提供サーバに登録するサーバ登録手段と、
を備え、
前記サービス提供サーバが、
前記媒体識別情報と前記筆跡データと祈願内容と祈願者の個人情報とを対応付けて記憶するデータベースと、
前記授与品または縁起物の非接触ＩＣチップに記録された情報を読み込んで個人認証を行ない、前記データベースを参照して祈願者が希望する祈願サービスを提供する祈願サービス提供手段とを備える
ことを特徴とする祈願登録サービス提供システム。
【請求項６】
リーダライタ装置における処理方法であって、
前記リーダライタ装置のペン先動作読み取り手段が、媒体に筆跡を書込む筆跡書込み手段を備えた電子ペンであって、当該電子ペンにペン先動作通知装置を備えた前記電子ペンの、ペン先の動作を読み取り、
前記リーダライタ装置の筆跡検出手段が、前記読み取ったペン先の動作に基づいて、前記媒体に前記電子ペンにより書込まれた筆跡を検出し、
前記リーダライタ装置の筆跡データ書き込み手段が、前記検出した筆跡のデータを前記媒体に脱着可能に備えられた非接触ＩＣチップに書き込み、
前記リーダライタ装置の表示手段が、前記筆跡を少なくとも表示する
ことを特徴とするリーダライタ装置における処理方法。
【請求項７】
リーダライタ装置とサービス提供サーバとが通信ネットワークを介して接続された祈願登録サービス提供システムにおける祈願登録サービス提供方法であって、
前記リーダライタ装置のペン先動作読み取り手段が、授与品または縁起物のいずれかの媒体に筆跡を書込む筆跡書込み手段を備えた電子ペンであって、当該電子ペンにペン先動作通知装置を備えた前記電子ペンの、ペン先の動作を読み取り、
前記リーダライタ装置の筆跡検出手段が、前記読み取ったペン先の動作に基づいて、前記媒体に前記電子ペンにより書込まれた筆跡を検出し、
前記リーダライタ装置の筆跡データ書き込み手段が、前記検出した筆跡のデータを前記媒体に備えられた非接触ＩＣチップに書き込み、
前記リーダライタ装置の表示手段が、前記筆跡を少なくとも表示し、
前記リーダライタ装置のＩＣチップ記憶情報読み取り手段が、前記ＩＣチップの記憶する媒体識別情報を読み取り、
前記リーダライタ装置のサーバ登録手段が、前記媒体識別情報と前記筆跡データとを対応付けて前記サービス提供サーバに登録し、
前記サービス提供サーバのデータベースが、前記媒体識別情報と前記筆跡データと祈願内容と祈願者の個人情報とを対応付けて記憶し、
前記サービス提供サーバの祈願サービス提供手段が、前記授与品または縁起物の非接触ＩＣチップに記録された情報を読み込んで個人認証を行ない、前記データベースを参照して祈願者が希望する祈願サービスを提供する
ことを特徴とする祈願登録サービス提供方法。
【請求項８】
リーダライタ装置のコンピュータに実行させるプログラムであって、
媒体に筆跡を書込む筆跡書込み手段を備えた電子ペンであって、当該電子ペンにペン先動作通知装置を備えた前記電子ペンの、ペン先の動作を読み取るペン先動作読み取り処理と、
前記読み取ったペン先の動作に基づいて、前記媒体に前記電子ペンにより書込まれた筆跡を検出する筆跡検出処理と、
前記検出した筆跡のデータを前記媒体に脱着可能に備えられた非接触ＩＣチップに書き込む筆跡データ書き込み処理と、
前記筆跡を少なくとも表示する表示処理と、
をコンピュータに実行させるプログラム。
【発明の詳細な説明】
【技術分野】
【０００１】
本発明は、授与品、縁起物、ならびに神社仏閣に設置された端末装置とは通信ネットワークを介して接続される祈願登録サービス提供システムと当該システムで利用されるリーダライタ装置に関する。
【背景技術】
【０００２】
従来、開運祈願者が、神社仏閣へ参拝し、家内安全、身体健全、厄災消除、方難消除、開運招福、交通安全、初宮詣、七五三詣、十三詣、社運隆昌、商売繁盛、事業繁栄、学業成就、病気平癒、旅行安全、大願成就、諸願成就、成人奉告、子授、安産、合格、必勝、良縁など目的別に祈祷、神礼授与を行う。
神社仏閣では、目的別に御礼、御守、破魔矢、おみくじ、御朱印帳、祈願絵馬、ステッカーなどの授与品および縁起物を祈願者に授けられる。御礼や縁起物は神棚または清浄な場所でまつり、御守は身近に持つ。また、授与品は、毎年、新たに受けるのが日本古来のしきたりである。通常、古くなった授与品、縁起物は、御加護を戴いた感謝の気持ちをもって神社仏閣へ納められる。
【０００３】
ところで、電子化された御守について従来から多数出願されている。例えば、記録媒体を御守袋に入れることなく付帯させた電子御守を提供するために、御守袋の外部に収納部を設け、その収納部に、所定の機器により個人にかかわるデータをリードライト可能な記録媒体を収納したもの（例えば、特許文献１参照）、また、記録媒体を日本古来の御守札と同等なものとして位置付け、老人の近代的なものへの敬遠意識を緩衝して所持を喚起するために、御守袋の中に御守と記録媒体を収納し、開口を閉塞できる紐部材として記録媒体に接続した入出力ケーブルを使用したもの（例えば、特許文献２参照）等々がある。
【特許文献１】特開平１１−１１３７３０号公報
【特許文献２】特開平９−３７９２４号公報
【発明の開示】
【発明が解決しようとする課題】
【０００４】
ところで、祈願参拝者は、日常生活の折々に、あるいは人生の節目ごとに神社仏閣へ詣でることにより、ご加護を祈願し、お祓い、ご祈祷された画一的な授与品または縁起物をうけている。
神社仏閣も参拝者一人一人の願いや思いは千差万別であることは理解しており、祈願者に対して個々の願いや思いを授与品に反映したいと考えてはいるが、対応できる実現方法が見当たらず、画一的な授与品になっていた。このことは神社仏閣として祈願者毎に何らかの形で個別化を図ることも考えられる。また、参拝者としても、自分だけの願いであるのに対し、他と同様に扱われるよりは、できれば個別な物にして欲しいと望んでいる。
【０００５】
一方、御礼に祈願者を記名し授与を行う神社仏閣もあるが、その他の授与品および縁起物については祈願者の個人情報を登録することが出来なかった。また、神社仏閣では、御守などの授与品をお祓い、ご祈祷することによって授けるようにしているが、上記した特許文献１、２に開示された技術も含めて、祈願者の氏名、住所、年齢、祈願内容などの祈願者情報から、お祓い、ご祈祷することができなかった。
【０００６】
本発明は上記事情に鑑みてなされたものであり、授与品、縁起物に、祈願者の祈願内容を含む個人認証情報を記録した非接触ＩＣチップを添え、もしくは付属させることで、祈願者の個人認証を可能とし、また、上記した授与品もしくは縁起物の提示を受けて個人認証を行った後、祈願受付時に祈願者の情報が登録されたデータベースを参照して祈願者が希望するサービスを提供することで、神社仏閣サイドで、祈願者毎に差別化された授与品または縁起物を提供する環境を整えることができ、祈願者サイドにおいても個々の思いを授与品または縁起物に反映させることができる、授与品、縁起物、ならびに祈願登録サービス提供システムを提供することを目的とする。また、授与品、縁起物などの媒体に備えられた非接触ＩＣチップに、祈願内容や個人情報を容易に登録することが出来る、リーダライタ装置およびリーダライタ装置における処理方法、並びにそのプログラムを提供することを目的とする。
【課題を解決するための手段】
【０００７】
上記した課題を解決するために本発明は、授与品であって、祈願者の祈願内容を含む個人認証情報が記録された非接触ＩＣチップが設けられたことを特徴とする。
また、本発明は、縁起物であって、祈願者の祈願内容を含む個人認証情報が記録された非接触ＩＣチップが設けられたことを特徴とする。
【０００８】
上記した課題を解決するために本発明は、神社仏閣に設置された端末装置とは通信ネットワークを介して接続される祈願登録サービス提供システムであって、祈願についての登録を受付け、授与品もしくは縁起物に添え、もしくは付属される非接触ＩＣチップに祈願内容を含む祈願者の個人情報を記録する手段と、前記非接触ＩＣチップに記録された情報を含み前記登録時に受け付けた情報をデータベースに登録する手段と、前記授与品もしくは縁起物の提示を受け、前記非接触ＩＣチップに記録された情報を読み込んで個人認証を行ない、前記データベースを参照して祈願者が希望するサービスを提供する手段と、を備えたことを特徴とする。
【０００９】
また本発明は、媒体に筆跡を書込む筆跡書込み手段を備えた電子ペンであって、当該電子ペンにペン先動作通知装置を備えた前記電子ペンの、ペン先の動作を読み取るペン先動作読み取り手段と、前記読み取ったペン先の動作に基づいて、前記媒体に前記電子ペンにより書込まれた筆跡を検出する筆跡検出手段と、前記検出した筆跡のデータを前記媒体に脱着可能に備えられた非接触ＩＣチップに書き込む筆跡データ書き込み手段と、前記筆跡を少なくとも表示する表示手段と、を備えることを特徴とするリーダライタ装置である。
【００１０】
また本発明は、リーダライタ装置とサービス提供サーバとが通信ネットワークを介して接続された祈願登録サービス提供システムであって、前記リーダライタ装置が、授与品または縁起物のいずれかの媒体に筆跡を書込む筆跡書込み手段を備えた電子ペンであって、当該電子ペンにペン先動作通知装置を備えた前記電子ペンの、ペン先の動作を読み取るペン先動作読み取り手段と、前記読み取ったペン先の動作に基づいて、前記媒体に前記電子ペンにより書込まれた筆跡を検出する筆跡検出手段と、前記検出した筆跡のデータを前記媒体に備えられた非接触ＩＣチップに書き込む筆跡データ書き込み手段と、前記筆跡を少なくとも表示する表示手段と、前記ＩＣチップの記憶する媒体識別情報を読み取るＩＣチップ記憶情報読み取り手段と、前記媒体識別情報と前記筆跡データとを対応付けて前記サービス提供サーバに登録するサーバ登録手段と、を備え、前記サービス提供サーバが、前記媒体識別情報と前記筆跡データと祈願内容と祈願者の個人情報とを対応付けて記憶するデータベースと、前記授与品または縁起物の非接触ＩＣチップに記録された情報を読み込んで個人認証を行ない、前記データベースを参照して祈願者が希望する祈願サービスを提供する祈願サービス提供手段とを備えることを特徴とする祈願登録サービス提供システムである。
【００１１】
また本発明は、リーダライタ装置における処理方法であって、前記リーダライタ装置のペン先動作読み取り手段が、媒体に筆跡を書込む筆跡書込み手段を備えた電子ペンであって、当該電子ペンにペン先動作通知装置を備えた前記電子ペンの、ペン先の動作を読み取り、前記リーダライタ装置の筆跡検出手段が、前記読み取ったペン先の動作に基づいて、前記媒体に前記電子ペンにより書込まれた筆跡を検出し、前記リーダライタ装置の筆跡データ書き込み手段が、前記検出した筆跡のデータを前記媒体に脱着可能に備えられた非接触ＩＣチップに書き込み、前記リーダライタ装置の表示手段が、前記筆跡を少なくとも表示することを特徴とするリーダライタ装置における処理方法である。
【００１２】
また本発明は、リーダライタ装置とサービス提供サーバとが通信ネットワークを介して接続された祈願登録サービス提供システムにおける祈願登録サービス提供方法であって、前記リーダライタ装置のペン先動作読み取り手段が、授与品または縁起物のいずれかの媒体に筆跡を書込む筆跡書込み手段を備えた電子ペンであって、当該電子ペンにペン先動作通知装置を備えた前記電子ペンの、ペン先の動作を読み取り、前記リーダライタ装置の筆跡検出手段が、前記読み取ったペン先の動作に基づいて、前記媒体に前記電子ペンにより書込まれた筆跡を検出し、前記リーダライタ装置の筆跡データ書き込み手段が、前記検出した筆跡のデータを前記媒体に備えられた非接触ＩＣチップに書き込み、前記リーダライタ装置の表示手段が、前記筆跡を少なくとも表示し、前記リーダライタ装置のＩＣチップ記憶情報読み取り手段が、前記ＩＣチップの記憶する媒体識別情報を読み取り、前記リーダライタ装置のサーバ登録手段が、前記媒体識別情報と前記筆跡データとを対応付けて前記サービス提供サーバに登録し、前記サービス提供サーバのデータベースが、前記媒体識別情報と前記筆跡データと祈願内容と祈願者の個人情報とを対応付けて記憶し、前記サービス提供サーバの祈願サービス提供手段が、前記授与品または縁起物の非接触ＩＣチップに記録された情報を読み込んで個人認証を行ない、前記データベースを参照して祈願者が希望する祈願サービスを提供することを特徴とする祈願登録サービス提供方法である。
【００１３】
また本発明は、リーダライタ装置のコンピュータに実行させるプログラムであって、媒体に筆跡を書込む筆跡書込み手段を備えた電子ペンであって、当該電子ペンにペン先動作通知装置を備えた前記電子ペンの、ペン先の動作を読み取るペン先動作読み取り処理と、前記読み取ったペン先の動作に基づいて、前記媒体に前記電子ペンにより書込まれた筆跡を検出する筆跡検出処理と、前記検出した筆跡のデータを前記媒体に脱着可能に備えられた非接触ＩＣチップに書き込む筆跡データ書き込み処理と、前記筆跡を少なくとも表示する表示処理と、をコンピュータに実行させるプログラムである。
【発明の効果】
【００１４】
本発明によれば、祈願者の祈願内容を含む個人認証情報が記録された非接触ＩＣチップが設けられた授与品、縁起物を祈願者に授けることで、神社仏閣サイドでは、祈願者毎に差別化された授与品または縁起物を提供する環境を整えることができ、祈願者サイドにおいても個々の思いを授与品または縁起物に反映させることができる。
また、本発明によれば、非接触ＩＣチップに記録された情報を含み登録時に受け付けた情報をデータベースに登録して、授与品もしくは縁起物の提示を受け個人認証を行ない、データベースを参照して祈願者が希望するサービスを提供することで、神社仏閣サイドでは祈願者の管理が容易になり、祈願者サイドでは、例えば、授与品もしくは縁起物を用い、神社仏閣に設置された祈願システムを介し、ご祈祷読みあげサービス、御神籤サービス、施設案内サービス、参拝ポイントサービス等、祈願者の要求に応じた種々のサービスを享受できる。
【００１５】
また本発明によれば、祈願者が絵馬などの縁起物や授与品に書込んだ文字や絵の筆跡のデータが非接触ＩＣチップに記録されることとなる。そして、この非接触ＩＣチップは絵馬から脱着可能であるので、絵馬を奉納した後に、その非接触ＩＣチップを持ち帰ることができる。したがって、例えば、祈願成就のお礼参りなどで再度神社仏閣に来た場合には、リーダライタ装置にその内容を読み込ませて液晶表示手段に表示させるようにすれば、再度、祈願内容の確認ができる。
また本発明によれば、絵馬などの縁起物や授与品に入力した情報（祈願内容や個人情報）がサービス提供サーバに登録されるが、神社仏閣内では、サービス提供サーバから祈願者情報を収集することで、ご祈祷内容の読みあげサービス、参拝施設案内情報のサービス運用、御神籤発行サービスを運用することが出来る。更に、サービス提供サーバにより、授与品および縁起物の授与の管理、在庫管理を、当該授与品や縁起物を受け取った個人毎に行うことも出来る。
【発明を実施するための最良の形態】
【００１６】
＜実施例１＞
以下、図面を参照しながら本発明による第１の実施形態について詳細に説明する。本発明で特徴的なことは、予め、特定の契約された神社仏閣でお祓いされた御札、御守、破魔矢、おみくじ、御朱印帳、祈願絵馬、ステッカーなどの授与品や縁起物に、祈願者の個人認証情報を記録する非接触ＩＣチップを取り付けることにある。この取り付け方としては、後述するストラップで取り付けたり、授与品または縁起物の外面に貼り付けたり、授与品または縁起物の内部に入れておくことが可能である。
授与品、および縁起物には、特定の契約された神社仏閣の名前や祈願内容、御神仏等が印刷されており、神社仏閣において非接触ＩＣチップを組み込んだタグを添えて祈願者に授けられる。また、非接触ＩＣチップを組み込んだタグはストラップ形式になっており、授与品および縁起物の形態に応じて外部に付属させる形態で授けるようにしてもよい。図１にその形態が４例示されている。
図１において、（ａ）は、ストラップ型の御守の中に非接触ＩＣチップを組み込んだタグを添えた例、（ｂ）は、ストラップ型の御守の中に非接触ＩＣチップを組み込んだタグを御守の外部に付属させた例、（ｃ）は、非接触ＩＣチップを組み込んだタグを絵馬の外部に付属させた例、（ｄ）は、非接触ＩＣチップを組み込んだタグを破魔矢の外部に付属させた例である。
【００１７】
次に、授与品および縁起物の授与登録方法について説明する。図２は、本発明における祈願登録サービス提供システムのシステム構成の一例を示す図である。
図２において、１は、登録受付センタに設置される祈願登録サーバであり、契約済みの特定神社仏閣の御札授与所毎に設置される祈願システム４とはオープンなネットワークであるＩＰ（Internet Protocol）網５を介して接続される。
ここでは、非接触ＩＣチップ１０を添え、あるいは付属させることにより祈願者に授けられた御守は、祈願者が祈願システム４に設けられたタグリーダライタ４０に読み込ませることで個人認証が行われ、このことにより、祈願者は、例えば、祝詞や読教の際に自身の住所や氏名等が読みあげられる、独自のご祈祷読みあげサービスを享受できる。
【００１８】
なお、祈願内容を含む個人情報の登録は、神社仏閣に出向き、あるいは直接出向くことなく、葉書やＦＡＸ、そして、インターネットによる登録も許可されている。このため、ＩＰ網５には、事前登録サーバ２およびインターネット接続環境を持つ利用者端末３も接続されている。また、非接触ＩＣチップ１０に対する個人認証データの記録は、祈願者から登録情報を得た事前登録サーバ２により、あるいは、御札授与所に設置された端末（祈願システム４）により実行される。
【００１９】
図３に、非接触ＩＣチップ１０と祈願システム４に設けられるタグリーダライタ４０の内部構成の一例が示されている。非接触ＩＣチップ１０は、シリアル番号等ユニークな識別情報で管理され、無線回路１０１、記憶回路１０２から構成されるＩＣチップであり、タグリーダライタ４０から供給される電波によって駆動される。記憶回路１０２には、住所氏名等の個人識別情報の他に祈願内容がデータとして記録されている。無線回路１０１は、タグリーダライタ４０から発せられる電波を外付け、あるいはチップに内蔵のアンテナで受信し、受信した電波を使って電磁誘導により発電し、記憶回路１０２に記録されたデータを発信する。この中には、自身を特定する上記した識別情報も含まれる。なお、非接触ＩＣチップ１０はＲＦＩＤタグとも呼ばれている。そして、本実施形態においては非接触ＩＣチップ（またはＲＦＩＤタグ）を用いているが、これに限らず、例えば上述した非接触ＩＣチップ１０と同様の構成により、予め記憶している情報を電波によって発信でき、また電波によって送信された情報を受信して記憶することができる無線装置であればよい。
【００２０】
タグリーダライタ４０は、無線回路４０１、データ生成回路４０２、通信プロトコル制御回路４０３、外部接続インタフェース回路４０４で構成される。
タグリーダライタ４０は、図示せぬＣＰＵによる制御の下、通信プロトコル制御回路４０３を介して輻輳制御が行なわれ、電波許容距離範囲（例えば１ｍ）にある非接触ＩＣチップ１０により発信される電波を無線回路４０１で受信し、そのデータを取り込む。また、データ生成回路４０２によって生成される記録データを変調し、無線回路４０１を介し発信して非接触ＩＣチップ１０に記録する。
なお、取り込まれたデータは、外部接続インタフェース回路４０４を介して接続される、端末装置（祈願システム４）によって処理され、ご祈祷読みあげサービス等、用意されたアプリケーションが実行される。
【００２１】
以下、図４に示す祈願登録フローを用いて事前登録の流れについて説明する。まず、神社仏閣に用意された手書き／マークシートによる登録から説明する。
神社仏閣に出向いた祈願者は、配布された手書き登録書およびマークシート登録書に、住所、氏名、性別、生年月日、郵便番号、住所、祈願内容等から成る祈願者情報を記入する（ａ、ｂ）。そして、御礼授与所で先に記入済の手書き登録書およびマークシート登録書を提示し、授与品もしくは縁起物を買い求める。
御礼授与所に設置された祈願システム４は、手書き登録書およびマークシート登録書から文字認識により読み取り（ｃ、ｉ）、祈願内容と個人認証のために必要な祈願者個人情報を授与品もしくは縁起物の非接触式ＩＣチップ１０に記録すると共に、全ての情報を祈願登録サーバ１に登録する（ｊ、ｋ）。祈願登録サーバ１は、それら情報を祈願者情報としてデータベースに格納し、ご祈祷情報リストを生成し保存することも可能である。また、メール配信も可能であり、この場合、神社仏閣における行事等、祈願者にお知らせすることもが可能になる（ｍ）。
【００２２】
祈願システム４に設けられたタグリーダライタ４０は、非接触ＩＣチップ１０を添えた、あるいは付属した授与品もしくは縁起物から個人認証情報の読み取りが可能であり、祈願者登録された授与品および縁起物は、神社仏閣に設置された祈願システム４を介して祈願者本人の住所、氏名、祈願内容などを確認することが出来る。また、用意されたアプリケーションにより、ご祈祷読みあげサービス、御神籤サービス、施設案内サービス、参拝ポイントサービスによる各種サービスを享受することもできる（ｉ、ｎ）。これは、祈願者の要望に基づき用意されたサービスプログラムの一つを選択することにより実行される（ｌ）。
【００２３】
次に、神社仏閣に出向くことなく登録を行うインターネット登録について説明する。まず、祈願者は自身が管理する利用者端末３を操作して特定の契約された神社仏閣の事前登録センターのホームページを選択する（ｅ）。そして、事前登録サーバ２に祈願者情報（住所、氏名、性別、生年月日、郵便番号、メールアドレス、…、祈願内容他）をガイダンスに従い入力する（ｆ）。入力された祈願情報は、ＩＰ網５を経由して事前登録サーバ２へ転送され、事前登録センターでバーコード個人認証書を発行し、個人事前登録が完了する（ｇ、ｈ）。
事前登録を済ませた祈願者は、そのバーコード個人認証書をプリントアウトし、特定の契約された神社仏閣へ参拝時に持参する。そして、神社仏閣における御礼授与所でそのバーコード個人認証書を提示し、授与品もしくは縁起物を買い求める。
【００２４】
御礼授与所に設置された祈願システム４では、バーコード個人認証書からバーコードナンバーを読み取り、事前登録サーバ２を介して祈願者個人情報を授与品もしくは縁起物（非接触ＩＣチップ１０）に記録すると同時に、祈願登録サーバ１に全ての情報を登録する。祈願登録サーバ１ではその情報を祈願者情報としてデータベースに格納し、ご祈祷情報リストとして保存する。
また、祈願システム４は、非接触ＩＣチップ１０を添えた、あるいは付属した授与品もしくは縁起物から個人認証情報の読み取りが可能であり、祈願者登録された授与品および縁起物は、神社仏閣に設置された祈願システム４を介して祈願者本人の住所、氏名、祈願内容などを確認することが出来る。また、用意されたアプリケーションにより、ご祈祷読みあげサービス、御神籤サービス、施設案内サービス、参拝ポイントサービスを享受することもできる（ｉ、ｎ）。これは、祈願者の要望に基づき用意されたサービスプログラムの一つを選択することにより実行される。
【００２５】
最後に、ＦＡＸ／葉書による事前登録について説明する。ここでは、まず、事前登録用紙に、祈願者情報（住所、氏名、性別、生年月日、郵便番号、祈願内容）を記入する（ｄ）。祈願情報は、ＦＡＸ回線または郵便はがきを利用して事前登録センターへ送られると、事前登録センターではバーコード個人認証書を発行し、このバーコード個人認証書に記述された情報を事前登録サーバ２に格納し、個人事前登録が完了する（ｆ、ｇ、ｈ）。
そして、事前登録祈願者は、事前登録センターから送られたバーコード個人認証書を特定の契約された神社仏閣へ参拝時に持参する。そして、事前登録祈願者は、特定の契約された神社仏閣の御礼授与所で、先のバーコード個人認証書を提示し、授与品および縁起物を買い求める。
【００２６】
御礼授与所に設置された祈願システム４では、バーコード個人認証書からバーコードナンバーを読み取り、事前登録サーバ２を介して祈願者個人情報を授与品もしくは縁起物（非接触ＩＣチップ１０）に記録すると同時に、祈願登録サーバ１に全ての情報を登録する。祈願登録サーバ１ではその情報を祈願者情報としてデータベースに格納し、ご祈祷情報リストとして保存する。
また、祈願システム４は、非接触ＩＣチップ１０を添えた、あるいは付属した授与品もしくは縁起物から個人認証情報の読み取りが可能であり、祈願者登録された授与品および縁起物は、神社仏閣に設置された祈願システム４を介して祈願者本人の住所、氏名、祈願内容などを確認することが出来る。また、用意されたアプリケーションにより、ご祈祷読みあげサービス、御神籤サービス、施設案内サービス、参拝ポイントサービスを享受することもできる（ｉ、ｎ）。これは、祈願者の要望に基づき用意されたサービスプログラムの一つを選択することにより実行される。
【００２７】
なお、古くなった授与品もしくは縁起物は、御加護を戴いた感謝の気持ちをもって神社仏閣へお納めするが、新しい授与品もしくは縁起物を買い求める時、非接触ＩＣチップ１０に書き込まれている情報に変更が無い場合は、神社仏閣に設置された祈願システム４からデータを読み出し、買い求める授与品および縁起物の非接触ＩＣップ１０に個人情報を繰り返し記録する。同時に、その内容を祈願登録サーバ１に登録する。祈願登録サーバ１では、祈願者情報としてデータベースに格納し、ご祈祷情報リストを生成する。
祈願システム４では、非接触ＩＣチップ１０を添えた、もしくは付属させた授与品および縁起物から非接触で個人認証データを読み取ることが可能である。従って、祈願者登録された授与品および縁起物は神社仏閣に設置された祈願システム４から、本人の氏名、住所、祈願内容などを確認することが出来る。祈祷済みであれば、神社発行の札を映像で見ることもできる。
【００２８】
ここで、祈願登録サーバ１の運用管理について簡単に説明する。神社仏閣では、祈願登録サーバ１から祈願者情報を収集することでご祈祷リスト情報として活用することができる。例えば、祈願者に対し、季節、行事、案内情報などのメール配信サービスを行うことにより、日常生活においても神社仏閣が身近な存在となる。
また、神社仏閣内では、祈願システム４を介して祈願登録サーバ１から祈願者情報を収集することで、ご祈祷内容の読みあげサービス、参拝施設案内情報のサービス運用、御神籤発行サービスを運用することが出来る。更に、祈願登録サーバ１により、授与品および縁起物の授与の管理、在庫管理を行うことも出来る。
なお、授与品もしくは縁起物の非接触ＩＣチップ１０には、神社仏閣のＩＤナンバーが登録されているので、神社仏閣に設置された祈願システム４から本殿や社務殿の境内映像や神社周辺の映像も見ることが出来る。
【００２９】
以上説明のように、本発明は、授与品または縁起物に、祈願者の祈願内容を含む個人認証情報を記録した非接触ＩＣチップ１０を添え、もしくは付属させることで、祈願者の個人認証を可能とし、また、上記した授与品もしくは縁起物の提示を受けて個人認証を行った後、祈願受付時に祈願者の情報が登録されたデータベースを参照して祈願者が希望するサービスを提供することで、神社仏閣サイドで、祈願者毎に差別化された授与品または縁起物を提供する環境を整え、祈願者サイドにおいても個々の思いを授与品または縁起物に反映させるものである。このことにより、以下に列挙する効果が得られる。
【００３０】
（１）祈願者の個人認証情報が登録された祈願者本人だけの授与品および縁起物を提供できる環境が整う。
（２）神社仏閣での授与品および縁起物の授与数が増える。また、再授与効果が期待できる。
（３）祈願者情報は印刷されていないため、神社仏閣に設置された端末（祈願システム４）で確認する時以外、機密保持が可能である。
（４）御礼授与所では非接触ＩＣタグ１０による在庫管理、授与管理が出来る。
（５）古くなった授与品および縁起物の非接触式ＩＣチップ１０は、祈願システム４を介して読み取った個人情報を新たにうける授与品および縁起物の非接触ＩＣチップ１０に書き込むことができる。
（６）古くなった授与品および縁起物は、御礼授与所に納めることで非接触ＩＣチップ１０のデータが消去されるため、リサイクル可能である。
（７）御守による個人認証情報が記録されるため、万が一犯罪に巻き込まれた場合にも早期に個人認証が出来るといった派生的効果も得られる。
【００３１】
＜実施例２＞
次に、第２の実施例について説明する。
図５はタグリーダライタの他の構成を示すブロック図である。
この図が示すように、タグリーダライタ４０は、図３に記載の無線回路４０１、データ生成回路４０２、通信プロトコル制御部４０３、外部接続インターフェース回路４０４の他に、ペン先動作読み取り部４０５、筆跡検出部４０６、液晶表示部４０７を備えている。ここで、ペン先動作読み取り部４０５は、授与品や縁起物の媒体（本実施形態では絵馬）に筆跡を書込む筆や鉛筆の芯（筆跡書込み手段）を備えた電子ペンであって、当該電子ペンにペン先動作通知装置を備えた前記電子ペンの、ペン先の動作を読み取る。また筆跡検出部４０６は、ペン先の動作に基づいて、筆跡を検出し、例えばその筆跡を液晶表示部４０７に表示する処理を行なう。
【００３２】
上述の電子ペンに備えられたペン先動作通知装置は、電磁波を出力する電磁波出力回路を備えている。そして電子ペンから出力された電磁波により、ペン先動作読み取り部４０５がそのペン先の動作を読み取り、筆跡検出部４０６がペン先の動作から筆跡を検出する。なお、この技術の詳細については、特開平８−１３７６０３に記載されている。
【００３３】
図６は、第２の実施形態による、祈願登録サービス提供システムの概要を示す図である。
図６において、符号６０は縁起物としての絵馬である。この絵馬には非接触ＩＣチップ１０（タグ）が備えられている。なおこの非接触ＩＣチップは絵馬に脱着できるように取り付けられている。また４０はタグリーダライタであるが、当該タグリーダライタ４０の上面は、絵馬を載せることができ、さらに絵馬を固定できるような構成になっている。またタグリーダライタ４０は、固定された絵馬の裏面に液晶表示部４０７があたるように構成されている。
【００３４】
まず、祈願者が絵馬をタグリーダライタ４０の上面に載せて固定する。そして電子ペンを用いて、絵馬に文字（祈願内容）や絵を記入する。すると電子ペンのペン先に備えられたペン先動作通知装置から電磁波が発せられているので、タグリーダライタ４０のペン先動作読み取り部４０５がそのペン先の動作を読み取る。また筆跡検出部４０６がペン先の動作に基づいて筆跡を検出し、液晶表示部４０７に表示する。また、この時、筆跡検出部４０６は、例えば筆跡から入力文字のデータを特定し、データ生成回路４０２に通知する。データ生成回路４０２は、文字データを無線信号で送信するよう無線回路４０１に通知し、無線回路４０１が無線信号を発信する。また筆跡が文字でなく絵の場合にはそのデータを含む無線信号を発信してもよい。
【００３５】
そしてその無線信号を絵馬６０に備えられた非接触ＩＣチップ１０が受信し、当該無線信号に含まれる文字データを記憶回路１０２に記録する。これにより、祈願者が絵馬に書込んだ文字や絵の筆跡のデータが非接触ＩＣチップ１０に記録されることとなる。そして、この非接触ＩＣチップ１０は絵馬から脱着可能であるので、絵馬を奉納した後に、その非接触ＩＣチップ１０を持ち帰ることができる。したがって、例えば、祈願成就のお礼参りなどで再度神社仏閣に来た場合には、タグリーダライタ４０にその内容を読み込ませて液晶表示部４０７に表示させるようにすれば、再度、絵馬の奉納時に当該絵馬に記載した祈願内容の確認ができる。
【００３６】
また、タグリーダライタ４０は、上述したように無線回路４０１から筆跡のデータを示す無線信号を発信するとともに、無線回路４０１で非接触ＩＣチップ１０が予め記憶しているＩＤを読み取り、そのＩＤと筆跡データとを、通信プロトコル制御部４０３および外部接続インタフェース回路４０４の処理により、図２で示した祈願登録サーバ１に送信する。そしてＩＤと筆跡データとが対応付けられて祈願登録サーバ１に登録される。なお祈願者が、絵馬に祈願内容だけでなく個人情報（氏名、年齢、住所など）を記入すれば、それらの情報も祈願登録サーバ１に登録することができる。
【００３７】
タグリーダライタ４０は祈願者の指示に基づいて、祈願登録サーバ１に登録されている情報を液晶表示部４０７に表示することもできる。例えば、タグリーダライタ４０に備えられた入力部において、祈願者からの登録情報表示の指示を受け付ける。また、祈願者がタグリーダライタ４０に近づけた絵馬の非接触ＩＣチップ１０から、無線回路４０１がＩＤを読み取る。そして、登録情報表示処理を行なう制御部が、通信プロトコル制御部４０３や、外部接続インタフェース回路４０４の機能を用いて、祈願登録サーバ１にＩＤを送信し、当該ＩＤに対応する登録情報（祈願内容や個人情報）を取得する。そして、タグリーダライタ４０は液晶表示部４０に登録情報を表示する。
【００３８】
以上、絵馬に入力した情報（祈願内容や個人情報）が祈願登録サーバ１に登録されるが、実施例１でも述べたように、神社仏閣内では、祈願システム４を介して祈願登録サーバ１から祈願者情報を収集することで、ご祈祷内容の読みあげサービス、参拝施設案内情報のサービス運用、御神籤発行サービスを運用することが出来る。更に、祈願登録サーバ１により、授与品および縁起物の授与の管理、在庫管理を行うことも出来る。
【００３９】
なお、上述のタグリーダライタ４０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４１】
【図１】本発明の授与品もしくは縁起物に非接触ＩＣチップが包含される形態を説明するために引用した図である。
【図２】本発明の祈願登録サービス提供システムのシステム構成例を示す図である。
【図３】図１、図２に示す非接触ＩＣチップとタグリーダとの接続関係を説明するために引用した図である。
【図４】本発明の祈願登録サービス提供システムによる事前登録の流れを説明するために引用したフロー図である。
【図５】タグリーダライタの他の構成を示すブロック図である。
【図６】第２の実施形態による、祈願登録サービス提供システムの概要を示す図である。
【符号の説明】
【００４２】
１…祈願登録サーバ、２…事前登録サーバ、３…利用者端末、４…祈願システム、５…ＩＰ網、１０…非接触ＩＣチップ、４０…タグリーダライタ、６０…絵馬
【図１】
2005205173.tif 000003
【図２】
2005205173.tif 000004
【図３】
2005205173.tif 000005
【図４】
2005205173.tif 000006
【図５】
2005205173.tif 000007
【図６】
2005205173.tif 000008